(57)【要約】【課題】  スキャンファイルそのものにパスワードを設定して、よりセキュリティー機能を強化したネットワーク対応型の電子複合機を提供すること。【解決手段】  操作パネル６０からスキャナ画像を蓄積するＰＣ２００内のフォルダ名とファイル名を入力する。また、ユーザコードの設定も行う（Ｓ１０）。スキャン動作を行う（Ｓ１１）。複合機１００は、スキャン動作が終了すると前記入力されたユーザコードによりユーザコードとパスワードのテーブルからパスワードが設定されているか否かを判断する（Ｓ１２）。設定されている場合は（Ｓ１２；Ｙ）、スキャンしたファイルへパスワード情報を付加し（Ｓ１３）、パスワードが設定されていない場合と同様にＰＣ２００のフォルダへ送信する（Ｓ１４）。ユーザは、ＰＣ２００へ蓄積されたスキャンファイルを閲覧する場合、ユーザコードに対応したパスワードを入力することにより可能となる。【選択図】  図４
2006087025.tif 000002
【特許請求の範囲】
【請求項１】
ネットワークに接続可能であり、ネットワークに接続された端末装置とデータの送受信が可能なネットワーク対応型電子複合機において、
ネットワーク上に接続された他の端末に対してスキャン画像を送信するスキャン画像送信手段と、
ユーザコードに対応付けてパスワードを記憶しているパスワード記憶手段と、
前記スキャン画像送信手段がスキャン画像を送信する際、ユーザコードを受領するユーザコード受領手段と、
前記スキャン画像送信手段が送信するファイルに対して、前記ユーザコード受領手段が受領したユーザコードに対応付けて、前記パスワード記憶手段に記憶されているパスワードを付加するパスワード付加手段と、を備えたことを特徴とするネットワーク対応型電子複合機。
【請求項２】
任意のパスワード生成するオートパスワード手段と、
このオートパスワード手段を使用するか否かの設定を受け付ける設定手段と、を備え、
前記設定手段でオートパスワード手段を使用する旨の設定を受け付けた場合は、前記パスワード付加手段は、オートパスワード手段が生成したパスワードを優先して付加することを特徴とする請求項１記載のネットワーク対応型電子複合機。
【請求項３】
前記パスワード記憶手段にユーザコードに対応付けて電子メール宛先も記憶してあり、
前記パスワード付加手段が、前記オートパスワード手段が生成したパスワードを優先して付加した場合、当該生成されたパスワードを、前記パスワード記憶手段に記憶されている電子メール宛先へ前記ネットワークを介して送信することを特徴とする請求項２記載のネットワーク対応型電子複合機。
【発明の詳細な説明】
【技術分野】
【０００１】
本発明は、送信ファイルへのパスワード設定が可能なネットワーク対応型スキャナ装置に関する。
【背景技術】
【０００２】
デジタル複合機やスキャナ装置とＰＣ（パーソナルコンピュータ）をネットワークで接続し、種々のデータの送受信を行うことが、オフィス等で広く普及している。このような環境下で、例えば、スキャナ装置で読み取った画像データをネットワークを介して送信し、他の端末（例えばパーソナルコンピュータ）に保存することが行われている。このような状況では、如何にして画像データの機密の保持を図り、セキュリティーを確保するかについて種々の提案がなされている。
【特許文献１】特開２００２-０７７１７７公報
【特許文献２】特開平１１-０４５０３４号公報
【０００３】
特許文献１には、スキャナ装置により読み取られた画像データをネットワークを介して送信する際、送信先のＰＣのフォルダに対してパスワードが設定されているものである。また、特許文献２には、パスワードを使用して装置内のファイルを印刷、消去することによりセキュリティー機能を強化する複合機が開示されている。
【発明の開示】
【発明が解決しようとする課題】
【０００４】
ところで、従来のネットワークスキャナ装置では、送信したファイルをＰＣの特定のフォルダに置くが、共有ＰＣなどに送信した場合、特にセキュリティー管理を行わないため他人が送信したファイルを閲覧出来てしまうという問題があった。また、特許文献１記載の発明では、スキャンファイルそのものにパスワードを設定していないので、その点でセキュリティーの確保が万全とは言えなかった。
そこで、本発明の目的は、スキャンファイルそのものにパスワードを設定して、よりセキュリティー機能を強化したネットワーク対応型の電子複合機を提供することである。
【課題を解決するための手段】
【０００５】
請求項１記載の発明では、ネットワーク接続が可能であり、ネットワークに接続された端末装置とデータの送受信が可能なネットワーク対応型電子複合機において、ネットワーク上に接続された他の端末に対してスキャン画像を送信するスキャン画像送信手段とユーザコードに対応付けてパスワードを記憶しているパスワード記憶手段と、前記スキャン画像送信手段がスキャン画像を送信する際、ユーザコードを受領するユーザコード受領手段と、前記スキャン画像送信手段が送信するファイルに対して、前記ユーザコード受領手段が受領したユーザコードに対応付けて、前記パスワード記憶手段に記憶されているパスワードを付加するパスワード付加手段と、を備えたことにより、前記目的を達成する。
【０００６】
請求項２記載の発明では、請求項１記載の発明において、任意のパスワード生成するオートパスワード手段と、このオートパスワード手段を使用するか否かの設定を受け付ける設定手段と、を備え、前記設定手段でオートパスワード手段を使用する旨の設定を受け付けた場合は、前記パスワード付加手段は、オートパスワード手段が生成したパスワードを優先して付加することを特徴とする。
【０００７】
請求項３記載の発明では、請求項２記載の発明において、前記パスワード記憶手段にユーザコードに対応付けて電子メール宛先も記憶してあり、前記パスワード付加手段が、前記オートパスワード手段が生成したパスワードを優先して付加した場合、当該生成されたパスワードを、前記パスワード記憶手段に記憶されている電子メール宛先へ前記ネットワークを介して送信することを特徴とする。
【発明の効果】
【０００８】
請求項１記載の発明では、ネットワーク上の共有ＰＣに送信されたファイルに対してパスワードが設定されるので、パスワードを知っているユーザ以外の他の人がファイルを閲覧することが不可能となり、セキュリティー管理を強化することができる。
請求項２記載の発明では、スキャナ送信するファイルに対して任意のパスワードが付加されるので、一意のパスワードを付加する場合と比較してセキュリティー面においてより強化することができる。
請求項３記載の発明では、スキャナ送信するファイルに付加した任意のパスワードをユーザコードに登録されたユーザ宛先へ対してメールを送信するのでパスワードを忘れるといった不具合が解消できる。
【発明を実施するための最良の形態】
【０００９】
以下、本発明の好適な実施の形態を図１ないし図６を参照して詳細に説明する。
まず、ネットワーク対応型複合機の基本的な構成および動作を説明する。図１は、ネットワーク対応型複合機のハードウェア構成を示した図である。
この図に示すように、このネットワーク対応型複合機は、ＣＰＵ（中央演算処理装置）１、ＲＯＭ（リード・オンリ・メモリ）２、ＲＡＭ（ランダム・アクセス・メモリ）３、画像蓄積メモリ１１、ＬＡＮ（ローカル・エリア・ネットワーク）コントローラ２１、トランス２２、ＭＯＤＥＭ３１、ＮＣＵ３２、圧縮／伸長器４１、スキャナ５１、プロッタ５２、操作パネル６０から構成されている。
まず、ＲＡＭ３は、ネットワーク対応型複合機の制御に際し必要なデータを一時保管したり、ネットワークの制御の際のプロトコル処理を行うためのメモリであり、ＲＯＭ２は、ネットワーク対応型複合機の制御手順や、ネットワークの制御手順を記憶しておく読み出し専用メモリである。
画像蓄積メモリ１１は、電子メールを送受信する際やコピー動作中のファイル蓄積用に使用するメモリである。スキャナ５１は、コピー動作やファクシミリの送信、スキャン動作時に必要となるデータ読み取り部である。
【００１０】
プロッタ５２は、プリンター動作時の印刷データやコピー動作時の読み取り画像やファクシミリ受信したデータを紙に記録するための書き込み部である。
ＭＯＤＥＭ３１は、ファクシミリ動作時に２値符号化された画情報を公衆回線に伝送可能とするための変調、および相手先から変調された画情報の符号をもとの２値符号に戻すための復調を実現するモデムであり、ＮＣＵ３２は、ファクシミリ動作時に相手先からのＤＴＭＦ信号を検出・解析するための検出器である。
圧縮／伸長器４１は、コピー動作時、スキャナ送信時またはファクシミリ動作時にスキャナ５１で読み取った２値画像を圧縮し符号化するため、また相手先から送られてきた圧縮符号をプロッタ５２によりプリントできるように２値画像に復号化するための圧縮／伸長器である。
操作パネル６０は、ユーザがこのネットワーク対応型複合機を操作するために使用する入出力部である。
ＬＡＮコントローラ２１は、ネットワークから受信したデータのデコード、またネットワークへ送信するデータのエンコードを行ったり、送信フレームや受信フレームのバッファリングを行うネットワーク制御用ＬＳＩであり、トランス２２は、ネットワークからのデータを送受信するためのトランスフォーマーである。
【００１１】
本実施例では、ネットワーク対応型複合機からネットワーク上のＰＣ（パーソナル・コンピュータ）へスキャン画像を送信するプロトコルとして、ＳＭＢを使用する。ＳＭＢ（Ｓｅｒｖｅｒ  Ｍｅｓｓａｇｅ  Ｂｌｏｃｋ）についてはＷｉｎｄｏｗｓ（登録商標）などのファイル共有で使用されているプロトコルである。本装置からＰＣへのスキャン画像を送信する手段としては、他にｆｔｐ、ｈｔｔｐ、ｓｍｔｐなどがある。
【００１２】
図２のシステム構成例および図４のフローチャートを参照して、第１の実施例を説明する。
ネットワーク上にあるネットワーク対応型複合機１００を使用して、ＰＣ２００に対してスキャン画像を送信する場合を考える。ＰＣ２００は、ネットワーク対応型複合機１００と同じネットワーク上にあるものとする。
ネットワーク対応型複合機１００は、図３に示すようなユーザコードとパスワードのテーブルを有している。このユーザコードに対応するパスワードは、操作パネル６０より設定が可能となっている。
まず、ユーザがネットワーク対応型複合機１００でスキャナ送信を実行する前に、ネットワーク対応型複合機の操作パネル６０からスキャン画像を蓄積するＰＣ２００内のフォルダ名とファイル名を入力する。また、ユーザコードの設定も行う（ステップ１０）。そして、スキャン動作を行う（ステップ１１）。
【００１３】
ネットワーク対応型複合機１００は、スキャン動作が終了すると前記入力されたユーザコードによりユーザコードとパスワードのテーブルからパスワードが設定されているか否かを判断する（ステップ１２）。パスワードが設定されていない場合は（ステップ１２；Ｎ）、そのままスキャンしたファイルを操作パネル６０より入力されたＰＣ２００のフォルダへ送信する（ステップ１４）。パスワードが設定されている場合は（ステップ１２；Ｙ）、スキャンしたファイルへパスワード情報を付加し（ステップ１３）、パスワードが設定されていない場合と同様にＰＣ２００のフォルダへ送信する（ステップ１４）。
ユーザは、ＰＣ２００へ蓄積されたスキャンファイルを閲覧する場合、上記のユーザコードに対応したパスワードを入力することにより可能となる。
ネットワーク上の共有ＰＣに送信されたファイルに対してパスワードが設定されるので、パスワードを知っているユーザ以外の他の人がファイルを閲覧することが不可能となり、セキュリティー管理を強化することができる。
【００１４】
次に、図５のフローチャートを参照して、第２の実施例を説明する。第１の実施例のネットワーク対応型複合機１００に任意のパスワードを生成する機能（以下、単にオートパスワード機能と称する）を追加したものである。
第１の実施例と同様に、ネットワーク上にあるネットワーク対応型複合機１００を使用してＰＣ２００に対してスキャン画像を送信する場合を説明する。
ユーザがネットワーク対応型複合機１００でスキャナ送信を実行する前に、ネットワーク対応型複合機の操作パネル６０からスキャン画像を蓄積するＰＣ２００内のフォルダ名とファイル名、ユーザコードを入力する。また、上記オートパスワード機能を使用するか否かの設定を行う（ステップ２０）。そして、スキャン動作を行う（ステップ２１）。
【００１５】
ネットワーク対応型複合機１００は、スキャン動作が終了すると、前記入力されたオートパスワード機能を使用する（ＯＮ）か否（ＯＦＦ）かの設定の判断を行う（ステップ２２）。
オートパスワード機能ＯＮの場合（ステップ２２；Ｙ）、任意のパスワードを生成し、生成したパスワードを操作パネル６０に表示する（ステップ２４）。この表示により、ユーザはどのようなパスワードが生成されたかが分かる。ＰＣ２００へ蓄積されたスキャンファイルを閲覧するときなどにこのパスワードを使用することになる。
ネットワーク対応型複合機１００は、生成された任意のパスワード情報をスキャンファイルへ付加し（ステップ２５）、操作パネル６０より入力されたＰＣ２００のフォルダへ送信する（ステップ２６）。
【００１６】
一方、オートパスワード機能ＯＦＦの場合（ステップ２２；Ｎ）、第１の実施例と同様にユーザコードとパスワードのテーブルからパスワードが設定されているか否かを判断する（ステップ２３）。その結果、パスワードが設定されている場合は（ステップ２３；Ｙ）、そのパスワード情報をスキャンファイルへ付加してＰＣ２００へ送信し（ステップ２５）、パスワードが設定されていない場合は（ステップ２３；Ｎ）そのままスキャンファイルをＰＣ２００へ送信する（ステップ２６）。
ユーザは、ＰＣ２００へ蓄積されたスキャンファイルを閲覧する場合、上記のオートパスワード機能により生成されたパスワードまたはユーザコードに対応したパスワードを入力することにより可能となる。
この第２の実施例では、スキャナ送信するファイルに対して任意のパスワードが付加されるので、一意のパスワードを付加する場合と比較して、よりセキュリティー面が強化されている。
【００１７】
次に、図６のフローチャートを参照して、第３の実施例を説明する。
この第３の実施例では、第２の実施例のネットワーク対応型複合機１００に、スキャンファイルに付加したパスワード情報をメール送信する機能（以下、単にパスワードメール機能と称する）を追加する。また、ユーザコードとパスワードのテーブルに、さらに電子メールアドレスの項目を追加する。
第１、第２の実施例と同様にネットワーク上にあるネットワーク対応型複合機１００を使用してＰＣ２００に対してスキャン画像を送信する場合を説明する。
ユーザがネットワーク対応型複合機１００でスキャナ送信を実行する前に、ネットワーク対応型複合機１００の操作パネル６０からスキャン画像を蓄積するＰＣ２００内のフォルダ名とファイル名、ユーザコード、オートパスワード機能の設定を入力する。また、上記パスワードメール機能を使用するか否かの設定を行う（ステップ３０）。そして、スキャン動作を行う（ステップ３１）。
【００１８】
ネットワーク対応型複合機１００は、第２の実施例と同様に、スキャン動作が終了すると、前記入力されたオートパスワード機能を使用する（ＯＮ）か否（ＯＦＦ）かの設定の判断を行い（ステップ３２）、第２の実施例のようにスキャンファイルをＰＣ２００へ対して送信する。
この後、ネットワーク対応型複合機１００は、オートパスワード機能がＯＮの場合（ステップ３２；Ｙ）、またはユーザコードに対応したパスワードがある場合で（ステップ３３；Ｙ）、かつ上記のパスワードメール機能がＯＮの場合に（ステップ３７；Ｙ）、以下の動作を行う。
送信操作時に操作パネル６０より、入力されたユーザコードから、ユーザコードテーブルよりそのユーザの電子メールアドレスを判断し、オートパスワード機能で生成した任意のパスワードまたはユーザコードに対応したパスワードが記載されている電子メールを作成し、ユーザ宛ての電子メールを送信する（ステップ３８）。
ユーザは、ＰＣ２００へ蓄積されたスキャンファイルを閲覧する場合、上記の電子メールに記載されているパスワードを入力することにより閲覧が可能となる。
この第３の実施例では、スキャナ送信するファイルに付加した任意のパスワードをユーザコードに登録されたユーザ宛先へ対してメールを送信するので、パスワードを忘れることにより、処理ができないといった不具合を解消することができる。
【図面の簡単な説明】
【００１９】
【図１】本実施の形態に係るネットワーク対応型複合機のハードウェア構成を示した図である。
【図２】本実施の形態に係るシステムの構成を示した図である。
【図３】ユーザコードテーブルの例を示した図である。
【図４】第１の実施例の処理手順を示したフローチャートである。
【図５】第２の実施例の処理手順を示したフローチャートである。
【図６】第３の実施例の処理手順を示したフローチャートである。
【符号の説明】
【００２０】
１  ＣＰＵ
２  ＲＯＭ
３  ＲＡＭ
１１  画像蓄積メモリ
２１  ＬＡＮコントローラ
２２  トランス
３１  ＭＯＤＥＭ
３２  ＮＣＵ
４１  圧縮／伸長器
５１  スキャナ
５２  プロッタ
６０  操作パネル
１００  ネットワーク対応型複合機
２００  ＰＣ
【図１】
2006087025.tif 000003
【図２】
2006087025.tif 000004
【図３】
2006087025.tif 000005
【図４】
2006087025.tif 000006
【図５】
2006087025.tif 000007
【図６】
2006087025.tif 000008